(57)【特許請求の範囲】
【請求項１】
携帯端末装置本体と、
前記携帯端末装置本体の下面に装着されるカバー部材と、
前記携帯端末装置本体の下面と前記カバー部材との間に挟持される略線状又は略環状のパッキンと、
を有する携帯端末装置であって、
前記携帯端末装置本体の下面は、
前記パッキンを嵌合可能な略環状の嵌合溝を有し、
前記パッキンは、
当該パッキンの長手方向に沿って延設され、前記略環状の嵌合溝に嵌合可能な幅寸法を備えた通常幅部と、
当該パッキンの長手方向に沿った少なくとも１箇所に設けられ、前記通常幅部の長手方向の長さより短く、かつ、前記通常幅部よりも小さな幅寸法を備えた小幅部と、
前記小幅部の前記嵌合溝の底面側に対向する面のみに設けられ、当該嵌合溝の底面に貼着するための粘着部と、を有し、
前記携帯端末装置本体には、前記パッキンを前記嵌合溝に嵌合する際に前記小幅部の嵌合位置を示すマーキング
を有することを特徴とする携帯端末装置。
【請求項２】
携帯端末装置本体と、
前記携帯端末装置本体の下面に装着されるカバー部材と、
前記携帯端末装置本体の下面と前記カバー部材との間に挟持される略線状又は略環状のパッキンと、
を有する携帯端末装置であって、
前記携帯端末装置本体の下面は、前記パッキンを嵌合可能な略環状の嵌合溝を有し、
前記嵌合溝は、
溝方向に沿って延設され、前記パッキンを嵌合可能な幅寸法を備えた通常溝部と、
溝方向に沿った少なくとも１箇所に設けられ、前記通常溝部の長手方向の長さより短く、かつ、前記通常溝部よりも大きな幅寸法を備えた太溝部と、
を有し、
前記パッキンは、
前記嵌合溝の前記太溝部に対応する領域の当該太溝部の底面側に対向する面のみに設けられ、当該太溝部の底面に貼着するための粘着部と、を有し、
前記太溝部は、前記パッキンを前記嵌合溝に嵌合する際に前記粘着部の嵌合位置を示すマーキングとして兼用している
ことを特徴とする携帯端末装置。
【発明の詳細な説明】
【技術分野】
【０００１】
本発明は、例えばカラオケ装置を遠隔操作するためのリモコン装置として用いる携帯端末装置に関する。
【背景技術】
【０００２】
例えば、部材どうしの継ぎ目部分における密閉機構としては、一方の部材の表面に嵌合溝を設け、この嵌合溝にパッキンなどのシール部材を嵌合させて他方の部材を当該シール部材に密接させることで、シール部材より内側を密閉する密閉機構が多く利用されている。
【０００３】
このような嵌合溝における密閉構造に関する従来技術として、例えば、特許文献１に記載のものが既に公知である。この従来技術では、嵌合溝の随所に、断面形状がＬ型に形成された係止部が設けられる。係止部においては、嵌合溝の一方側の側壁が欠落して開口されており、他方側の側壁と底面とによりＬ型の断面形状が形成されている。この構造により、嵌合溝に嵌合されたシール部材は、上記開口部分に係止されることで、脱落を防ぐことができる。
【先行技術文献】
【特許文献】
【０００４】
【特許文献１】特開平８−３００４８２号公報
【発明の概要】
【発明が解決しようとする課題】
【０００５】
ところで、例えばカラオケ装置を遠隔操作するために、従来、リモコン装置として、電子早見本などの携帯端末（以下、携帯端末装置）が提供されている。一般的に、カラオケ装置本体は大型の筐体を有しているため室内の隅などに配置されている。利用者は、卓上に載置された小型の携帯端末装置を操作することで、例えば赤外線通信などを介してカラオケ装置本体の操作を行えるようになっている。しかし、卓上には上記携帯端末装置とともに飲食物も載置される場合が多い。したがって、卓上が濡れてしまう可能性を考慮すると、当該携帯端末装置の下面においてバッテリカバーなどを装着している継ぎ目部分に、防水のために上記のような密閉機構を備える必要がある。
【０００６】
ここで、上記従来技術のように嵌合溝の一方側の側壁を開口させる構成は、上記防水目的の密閉機構としては十分ではない。また、特に、携帯端末装置の場合には、その下面のバッテリカバーを着脱する頻度が高いため、嵌合溝におけるシール部材の固定を確実にして脱落を防ぐ必要がある。そこで、シール部材の固定時に、シール部材全体を嵌合溝に嵌合させるとともに、例えば接着剤又は両面テープなどの粘着部を介してシール部材の嵌合溝底面側の面（上面）を嵌合溝の底面に貼着して密着させる方法が考えられる。
【０００７】
しかしながら、この場合、例えばＯリングやパッキンのような細い線状又は環状のシール部材を操作者が手に持ち、同様に細い環状の嵌合溝に挿入する場合、シール部材の粘着部を嵌合溝の底面でなく嵌合溝の縁部や側面等に誤って付着させやすい。したがって、シール部材の粘着部を嵌合溝の底面にだけ円滑に貼着させ、シール部材を正しく嵌合溝内に固定することが難しい。
【０００８】
本発明の目的は、シール部材の粘着部を嵌合溝の底面にだけ円滑に貼着させシール部材を正しく嵌合溝内に固定させることで、シール部材を携帯端末装置本体に安定して固定できる携帯端末装置を提供することにある。
【課題を解決するための手段】
【０００９】
上記目的を達成するために、第１の発明は、携帯端末装置本体と、前記携帯端末装置本体の下面に装着されるカバー部材と、前記携帯端末装置本体の下面と前記カバー部材との間に挟持される略線状又は略環状のパッキンと、を有する携帯端末装置であって、前記携帯端末装置本体の下面は、前記パッキンを嵌合可能な略環状の嵌合溝を有し、前記パッキンは、当該パッキンの長手方向に沿って延設され、前記略環状の嵌合溝に嵌合可能な幅寸法を備えた通常幅部と、当該パッキンの長手方向に沿った少なくとも１箇所に設けられ、前記通常幅部の長手方向の長さより短く、かつ、前記通常幅部よりも小さな幅寸法を備えた小幅部と、前記小幅部の前記嵌合溝の底面側に対向する面のみに設けられ、当該嵌合溝の底面に貼着するための粘着部と、を有し、前記携帯端末装置本体には、前記パッキンを前記嵌合溝に嵌合する際に前記小幅部の嵌合位置を示すマーキングを有することを特徴とする。
【００１０】
本願第１発明の携帯端末装置は、携帯端末装置本体と、その下面に装着するバッテリカバーなどのカバー部材との間に、防水などを目的とする略線状又は略環状のパッキンを備えている。携帯端末装置本体の下面には、パッキン全体を嵌合して固定するための略環状の嵌合溝が設けられている。パッキンの固定時には、パッキン全体を嵌合溝に嵌合させるとともに、例えば接着剤又は両面テープなどの粘着部を介してパッキンの嵌合溝底面側の面（上面）を嵌合溝の底面に貼着して密着させる。
【００１１】
ここで、パッキンのような細い線状又は環状の部材を操作者が手に持ち、同様に細い環状の嵌合溝に挿入する場合、パッキンの粘着部を嵌合溝の底面でなく嵌合溝の縁部や側面等に誤って付着させやすい。したがって、パッキンの粘着部を嵌合溝の底面にだけ円滑に貼着させ、パッキンを正しく嵌合溝内に固定することが難しい。
【００１２】
そこで、本願第１発明においては、パッキンの長手方向に沿った少なくとも１箇所に、通常幅部の長手方向の長さより短く、他の通常幅部よりも幅寸法が小さい小幅部を設けるとともに、この小幅部の嵌合溝の底面側に対向する面のみ（上面）にだけ限定して粘着部を設けている。これにより、パッキンを嵌合溝に挿入する際には、粘着部のあるパッキンの上記小幅部を嵌合溝の縁部や側面と離間した状態で円滑に嵌合溝内にはめ込み、パッキンの嵌合溝底面側に設けられた粘着部を迅速かつ確実に嵌合溝の底部へ貼着して固定することができる。その際、上記小幅部以外の通常幅部では、粘着部が設けられていないことから従来構造のような嵌合溝の縁部や側面への付着はなく、単純なはまり込みによって嵌合溝に嵌合させることができる。
【００１３】
以上の結果、パッキンの粘着部を嵌合溝の底面にだけ円滑に貼着させパッキンを正しく嵌合溝内に固定できるので、パッキンを携帯端末装置本体に安定して固定できる。
【００１４】
上記目的を達成するために、第２の発明は、携帯端末装置本体と、前記携帯端末装置本体の下面に装着されるカバー部材と、前記携帯端末装置本体の下面と前記カバー部材との間に挟持される略線状又は略環状のパッキンと、を有する携帯端末装置であって、前記携帯端末装置本体の下面は、前記パッキンを嵌合可能な略環状の嵌合溝を有し、前記嵌合溝は、溝方向に沿って延設され、前記パッキンを嵌合可能な幅寸法を備えた通常溝部と、溝方向に沿った少なくとも１箇所に設けられ、前記通常溝部の長手方向の長さより短く、かつ、前記通常溝部よりも大きな幅寸法を備えた太溝部と、を有し、前記パッキンは、前記嵌合溝の前記太溝部に対応する領域の当該太溝部の底面側に対向する面のみに設けられ、当該太溝部の底面に貼着するための粘着部と、を有し、前記太溝部は、前記パッキンを前記嵌合溝に嵌合する際に前記粘着部の嵌合位置を示すマーキングとして兼用していることを特徴とする。
【００１５】
本願第２発明の携帯端末装置は、携帯端末装置本体と、その下面に装着するバッテリカバーなどのカバー部材との間に、防水などを目的とする略線状又は略環状のパッキンを備えている。携帯端末装置本体の下面には、パッキン全体を嵌合して固定するための略環状の嵌合溝が設けられている。パッキンの固定時には、パッキン全体を嵌合溝に嵌合させるとともに、例えば接着剤又は両面テープなどの粘着部を介してパッキンの嵌合溝底面側の面（上面）を嵌合溝の底面に貼着して密着させる。
【００１６】
本願第２発明においては、携帯端末装置本体の嵌合溝における、溝方向に沿った少なくとも１箇所に、通常溝部の長手方向の長さより短く、他の通常溝部よりも幅寸法が大きい太溝部を設けている。また、パッキンは、嵌合溝の太溝部に対応する領域の太溝部の底面側に対向する面のみ（上面）に粘着部を設けている。これにより、パッキンを嵌合溝に挿入する際には、粘着部のある部分（太溝部に対応する部分）を太溝部の縁部や側面と離間した状態で円滑に太溝部内にはめ込み、パッキンの太溝部底面側に設けられた粘着部を迅速かつ確実に太溝部の底部へ貼着して固定することができる。その際、上記太溝部以外の通常溝部に対応する部分のパッキンには、粘着部が設けられていないことから従来構造のような嵌合溝の縁部や側面への付着はなく、単純なはまり込みによって嵌合溝の通常溝部に嵌合させることができる。
【００１７】
以上の結果、パッキンの粘着部を嵌合溝の底面にだけ円滑に貼着させパッキンを正しく嵌合溝内に固定できるので、パッキンを携帯端末装置本体に安定して固定できる。
【発明の効果】
【００１８】
本発明によれば、シール部材の粘着部を嵌合溝の底面にだけ円滑に貼着させシール部材を正しく嵌合溝内に固定させることができるので、シール部材を携帯端末装置本体に安定して固定することができる。
【図面の簡単な説明】
【００１９】
【図１】本発明の一実施の形態の携帯端末装置を正しく載置した状態を斜視で表した図である。
【図２】携帯端末装置の下面に装着されている各部材を分解した状態を表した図である。
【図３】パッキンの下面図、正面図、及び上面図である。
【図４】通常幅部における嵌合溝への固定態様を説明する図である。
【図５】小幅部における嵌合溝への固定態様を説明する図である。
【図６】携帯端末装置本体の下面図である。
【図７】パッキンを同一幅寸法として嵌合溝に太溝部を設けた変形例の、嵌合溝の下面図である。
【図８】パッキンを同一幅寸法として嵌合溝に太溝部を設けた変形例の、パッキンの下面図、正面図、及び上面図である。
【図９】パッキンを同一幅寸法として嵌合溝に太溝部を設けた変形例の、太溝部におけるパッキンの固定態様を説明する図である。
【発明を実施するための形態】
【００２０】
以下、本発明の一実施の形態を図面を参照しつつ説明する。本実施形態は、本発明の携帯端末装置をカラオケ用に適用した場合の実施形態である。
【００２１】
図１、図２を用いて、本実施形態の携帯端末装置の全体構成を説明する。なお、図１は携帯端末装置１を通常の使用状態において載置した状態を斜視で表しており、以下においてこの図１中の上下方向を当該携帯端末装置１における上下方向とする。また、図２は携帯端末装置１の下面に装着されている各部材を分解した状態を表しており、この図２中の上方向が図１中の下方向に対応し、図２中の下方向が図１中の上方向に対応する。
【００２２】
図１、図２において、携帯端末装置１は、携帯端末装置本体２と、パッキン３と、バッテリパック４と、バッテリカバー５とを有している。
【００２３】
図１に示すように、携帯端末装置本体２の上面中央には、表示機能と操作機能を兼ね備えたタッチパネル６が設けられている。このタッチパネル６に操作メニューや曲目（図中では特に図示せず）などが表示されるとともに、利用者が指先などで所定の表示ボタンに接触することで、対応する操作指令を特に図示しないカラオケ装置本体へ赤外線通信などを介して送信する。また、タッチパネル６の下方側（図中の手前側）には、演奏停止、演奏スピード調整、音量調整などの操作を行うための各種の専用ボタン７が設けられている。
【００２４】
また、図２に示すように、携帯端末装置本体２の下面には、略矩形形状の嵌合溝８が環状に形成されている。この嵌合溝８は、その全周に渡って幅方向の寸法が略同一に形成されている（後述の図４、図５参照）。
【００２５】
上記パッキン３は、例えば防水性及び弾性を有するゴムやポリマーなどの材料からなり、その全体の形状が嵌合溝８とほぼ同じ略矩形形状に形成されている（あるいは略線状の紐形状のものを嵌合溝８に嵌合してもよい）。このパッキン３が、上記嵌合溝８の内部に嵌合されるとともに、その嵌合内部で部分的に貼着することで、携帯端末装置本体２に固定される。なお、このパッキン３の詳細な構成、及び嵌合溝８に対する固定態様については、後に詳しく説明する。
【００２６】
上記バッテリパック４は、その内部にバッテリを備えており、上記嵌合溝８の環状内の適宜の箇所に設けた連結具・係止部等により、携帯端末装置本体２の下面に対し、接続可能に構成されている。
【００２７】
上記バッテリカバー５は、携帯端末装置本体２の下面に接続された上記バッテリパック４に対して、その全体を覆うように装着される。バッテリカバー５が携帯端末装置本体２の下面に装着された際には、当該バッテリカバー５の外周縁部がその全周に渡って上記パッキン３と密接する。これにより、パッキン３全体が携帯端末装置本体２とバッテリカバー５との間に密接挟持され、その環状内の領域を防水可能に密閉する。なお、このバッテリカバー５が、各請求項記載のカバー部材として機能する。
【００２８】
上記パッキン３を携帯端末装置１の下方（図２中の上方）から見ると図３（ａ）に示す外観となり、正面側方（図２中の左手前側）から見ると図３（ｂ）に示す外観となり、上方（図２中の下方）から見ると図３（ｃ）に示す外観となる。
【００２９】
これら図３（ａ）〜（ｃ）に示すように、パッキン３は、通常幅部３Ａと小幅部３Ｂとを有している。通常幅部３Ａは、当該パッキン３の長手方向に沿って延設され、上記嵌合溝８に嵌合可能な幅寸法を備えている。小幅部３Ｂは、当該パッキン３の長手方向に沿った少なくとも１箇所（この例の６箇所）に設けられ、上記通常幅部３Ａより小さな幅寸法を備えている。パッキン３のほとんどの部分は通常幅部３Ａであり、全体の略矩形形状における２辺の長辺部分にそれぞれ２箇所、２辺の短辺部分にそれぞれ中央の１箇所、それぞれ同じ長さに上記小幅部３Ｂが設けられている。そして、各小幅部３Ｂの領域における上面、つまり嵌合溝８の底面８ａ（後述の図４（ａ）及び図４（ｂ）参照）側に対向する面には、それぞれ嵌合溝８の底面８ａに貼着するための両面テープ９（後述の図５（ａ）及び図５（ｂ）参照）が設けられている。なお、本実施形態においてはこの両面テープ９が、各請求項記載の粘着部として機能するが、これに代えて同じ領域に接着剤などを塗布し粘着部として機能するようにしてもよい。
【００３０】
ここで、パッキン３を嵌合溝８へ挿入する際の、上記通常幅部３Ａと上記小幅部３Ｂのそれぞれにおける固定態様を説明する。通常幅部３Ａの場合は、上記図２中の矢視ＩＶ−ＩＶ断面に対応する図４に示すような固定態様となる。なお、図４中の上方向が図１中の下方向に対応し、図４中の下方向が図１中の上方向に対応する（後述の図５においても同様）。図４（ａ）に示すように、通常幅部３Ａにおける幅寸法Ｗｎは断面が略Ｕ字形状に形成された嵌合溝８の幅寸法Ｗｍとほぼ同じ寸法に設定されている。このため、図４（ｂ）に示すように通常幅部３Ａを嵌合溝８に挿入した際には、上述したように通常幅部３Ａを嵌合溝８に単純に嵌合できる。なお、嵌合溝８に対する通常幅部３Ａの嵌合は、中間嵌め又はしまり嵌めの関係となるように、通常幅部３Ａの幅寸法Ｗｎは嵌合溝８の幅寸法Ｗｍよりもやや大きく設定されていてもよい。
【００３１】
一方、小幅部３Ｂの場合は、上記図２中の矢視Ｖ−Ｖ断面に対応する図５に示すような固定態様となる。すなわち、図５（ａ）に示すように、小幅部３Ｂにおける幅寸法Ｗｓは上述したように通常幅部３Ａの幅寸法Ｗｎより小さく設定されており、つまり小幅部３Ｂの幅寸法Ｗｓは嵌合溝８の幅寸法Ｗｍより小さく設定されている。また、この小幅部３Ｂの上面（図５（ａ）〜（ｂ）中における下側の面）、つまり嵌合溝８の底面８ａ側に対応する面には、上述したように両面テープ９が設けられている。このため、図５（ｂ）に示すように小幅部３Ｂを嵌合溝８に挿入した際には、小幅部３Ｂの上面（図５（ａ）〜（ｂ）中における下側の面）を嵌合溝８の底面８ａに貼着できる。
【００３２】
すなわち、本実施形態においては、パッキン３を嵌合溝８に挿入する際には、両面テープ９が設けられた小幅部３Ｂを嵌合溝８の縁部８ｃや側面８ｂと離間した状態で円滑に嵌合溝８内にはめ込むことで、パッキン３の嵌合溝の底面８ａ側に設けられた両面テープ９を迅速かつ確実に嵌合溝８の底部へ貼着して固定することができる。その際、上記小幅部３Ｂ以外の通常幅部３Ａでは、両面テープ９が設けられていないことから従来構造のような嵌合溝８の縁部８ｃや側面８ｂへの付着はなく、単純なはまり込みによって嵌合溝８に嵌合させることができる。
【００３３】
以上の結果、本実施形態によれば、パッキン３の両面テープ９を嵌合溝８の底面にだけ円滑に貼着させ、パッキン３を正しく嵌合溝８内に固定できるので、パッキン３を携帯端末装置本体２に安定して固定できる。
【００３４】
なお、上記小幅部３Ｂは、嵌合溝８の両側の縁部８ｃや側面８ｂに対して十分な距離で離間できるよう、できるだけ通常幅部３Ａの幅方向中央位置に配置されることが望ましい。また、パッキン３及び嵌合溝８は環状形状に限られず、それぞれ線状に形成して嵌合可能に構成してもよい。
【００３５】
また、上述したようにパッキン３は弾性を有する材料からなるため、手作業によりパッキン３の挿入を行った場合にはパッキン３が長手方向に引き延ばされ、各小幅部３Ｂが不適切な位置で嵌合溝８に貼着される可能性がある。これに対して、携帯端末装置本体２の下面図を表す図６に示すように、それぞれの小幅部３Ｂが適正に挿入されるべき位置の嵌合溝８の近傍に、目印としてのマーキング１０を設けもよい。この場合には、手作業でパッキン３を嵌合溝８に挿入する場合でも、各マーキング１０の位置に小幅部３Ｂを合わせるよう挿入することで、パッキン３内部に不適切な歪みを与えることなく適正に挿入することができる。
【００３６】
なお、本発明は、上記実施形態に限られるものではなく、その趣旨及び技術的思想を逸脱しない範囲内で種々の変形が可能である。例えば、上記実施形態では、嵌合溝８の全周に渡ってその幅寸法を同一とし、パッキン３の所定箇所に小幅部３Ｂを設けてその領域だけ貼着させていたが、本発明はこれに限られない。例えば、パッキンの全周に渡ってその幅寸法を同一とし、嵌合溝の所定箇所に太溝部を設け、それら太溝部に対応する領域でパッキンを貼着させる構成としてもよい。
【００３７】
この変形例における嵌合溝１１は、本変形例の携帯端末装置本体２の要部抽出下面図である図７に示すように、通常溝部１１Ａと太溝部１１Ｂとを有している。通常溝部１１Ａは、溝方向に沿って延設されてパッキン１２を嵌合可能な幅寸法を備えている。太溝部１１Ｂは、溝方向に沿ったこの例の６箇所に設けられて上記通常溝部１１Ａよりも大きな幅寸法を備えている。嵌合溝１１のほとんどの部分は通常溝部１１Ａであり、全体の略矩形形状における２辺の長辺部分にそれぞれ２箇所、２辺の短辺部分にそれぞれ中央の１箇所の配置でそれぞれ同じ長さに太溝部１１Ｂが設けられている。
【００３８】
図８（ａ）〜（ｃ）はそれぞれ、上記実施形態における図３（ａ）〜（ｃ）に対応する図である。これら図８（ａ）〜（ｃ）に示すように、本変形例におけるパッキン１２は、その全周に渡って同一の幅寸法に設定されている。そして、このパッキン１２において、上記嵌合溝１１の太溝部１１Ｂに対応する領域の上面には、それぞれ太溝部１１Ｂの底面１１Ｂａ（後述の図９参照）に貼着するための両面テープ９が粘着部として設けられている。
【００３９】
以上のような構成の嵌合溝１１とパッキン１２の場合、通常溝部１１Ａにおいては上記実施形態の図４と同等の固定態様でパッキン１２が通常溝部１１Ａに挿入され、嵌合固定される。一方、太溝部１１Ｂにおいては、上記図５に対応する図９に示すような固定態様となる。すなわち、図９（ａ）に示すように、太溝部１１Ｂにおける幅寸法Ｗｍ２は上述したように通常溝部１１Ａの幅寸法Ｗｍより大きく設定されており、つまり太溝部１１Ｂの幅寸法Ｗｍ２はパッキン１２の幅寸法Ｗｎより大きく設定されている。また、この太溝部１１Ｂに対応するパッキン１２の上面（図９中における下側の面）、つまり太溝部１１Ｂの底面側に対応する面には、上述したように両面テープ９が設けられている。このため、図９（ｂ）に示すようにパッキン１２を太溝部１１Ｂに挿入した際には、パッキン１２の上面を太溝部１１Ｂの底面１１Ｂａに貼着できる。
【００４０】
以上説明したように、本変形例においては、パッキン１２を嵌合溝１１に挿入する際には、両面テープ９のある部分（太溝部１１Ｂに対応する部分）を太溝部１１Ｂの縁部１１Ｂｃや側面１１Ｂｂと離間した状態で円滑に太溝部１１Ｂ内にはめ込み、パッキン１２の太溝部底面側に設けられた両面テープ９を迅速かつ確実に太溝部１１Ｂの底面１１Ｂａへ貼着して固定することができる。その際、上記太溝部１１Ｂ以外の通常溝部１１Ａに対応する部分のパッキン１２には、両面テープ９が設けられていないことから従来構造のような嵌合溝１１の縁部１１Ａｃや側面１１Ａｂへの付着はなく、単純なはまり込みによって嵌合溝１１の通常溝部１１Ａに嵌合させることができる。以上の結果、本変形例においても、上記実施形態と同様の効果が得られる。
【００４１】
なお本変形例の場合は、太溝部１１Ｂが上記図６に示したマーキング１０の代わりとして利用できる。つまり、手作業でパッキン１２を嵌合溝１１に挿入する場合に、パッキン１２の両面テープ９を設けた部分を各太溝部１１Ｂに合わせるよう挿入することで、パッキン１２内部に不適切な歪みを与えることなく適正に挿入することができる。
【００４２】
また、以上既に述べた以外にも、上記実施形態や各変形例による手法を適宜組み合わせて利用しても良い。
【００４３】
その他、一々例示はしないが、本発明は、その趣旨を逸脱しない範囲内において、種々の変更が加えられて実施されるものである。
【符号の説明】
【００４４】
１                携帯端末装置
２                携帯端末装置本体
３                パッキン
３Ａ              通常幅部
３Ｂ              小幅部
４                バッテリパック
５                バッテリカバー（カバー部材）
６                タッチパネル
７                専用ボタン
８                嵌合溝
９                両面テープ（粘着部）
１０              マーキング
１１              嵌合溝
１１Ａ            通常溝部
１１Ｂ            太溝部
１２              パッキン
【図１】
0005366022.tif 000002
【図２】
0005366022.tif 000003
【図３】
0005366022.tif 000004
【図４】
0005366022.tif 000005
【図５】
0005366022.tif 000006
【図６】
0005366022.tif 000007
【図７】
0005366022.tif 000008
【図８】
0005366022.tif 000009
【図９】
0005366022.tif 000010